(57)【要約】【課題】  安価な構造でターンテーブルの面振れ現象を改善すること。【解決手段】  ステータ１ａ及びロータ１ｂからなるスピンドルモータ１を有し、ロータ１ｂが、ステータ１ａの軸受ホルダ３に軸受４を介して挿通したシャフト５と、該シャフト５に嵌着した金属製ロータケース６と、該ロータケース６内に止着した環状マグネット７とを備え、回転体であるターンテーブル８がシャフト５上端部に嵌着されており、ステータ１ａの駆動用コイル２を励磁することによりターンテーブル８を高速回転させるようにした回転体駆動モータ装置において、ロータケース６の外周部に複数のスリット２０が周方向所定間隔をおいて形成され、該各スリット２０に対向してターンテーブル８の下面にリブ２１が一体突設されており、その各リブ２１を各スリット２０に嵌入させることにより、ターンテーブル８とロータケース６とが一体的に連結されている。【選択図】        図２
2006136094.tif 000002
【特許請求の範囲】
【請求項１】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに円形状天板部を嵌着し該天板部の外周縁から折り曲げた環状周板部を前記ス
テータに遊嵌合させた金属製ロータケースと、前記周板部の内周面に嵌着した環状マグネ
ットとを備え、回転体であるディスク載置用合成樹脂製ターンテーブルが前記シャフトの
端部に嵌着されており、ディスクをターンテーブルに載置し、駆動用コイルを励磁するこ
とによりロータ及びターンテーブルを介してディスクを高速回転させるようにした回転体
駆動モータ装置において、前記ロータケースの天板部の外周縁に形成した横溝部と該横溝
部から周板部にかけて形成した縦溝部とからなる複数の略Ｌ字状スリットが周方向所定間
隔をおいて設けられ、各スリットに対向して前記ターンテーブルの下面にリブが一体突設
されており、各リブを各スリットに挿入し、その各リブの下端縁を縦溝部の端縁に当接ま
たは接近させるようにしたことを特徴とする回転体駆動モータ装置。
【請求項２】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに円形状天板部を嵌着し該天板部の外周縁から折り曲げた環状周板部を前記ス
テータに遊嵌合させた金属製ロータケースと、前記周板部の内周面に止着した環状マグネ
ットとを備え、回転体であるディスク載置用合成樹脂製ターンテーブルが前記シャフトの
端部に嵌着されており、ディスクをターンテーブルに載置し、駆動用コイルを励磁するこ
とによりロータ及びターンテーブルを介してディスクを高速回転させるようにした回転体
駆動モータ装置において、前記ロータケースの天板部の外周縁に複数の係合孔が周方向所
定間隔をおいて形成され、該各係合孔に対向して前記ターンテーブルの下面に鍔部付き突
起部が一体突設されており、該各突起部を各係合孔に挿入し各鍔部を天板部に当接または
接近させるようにしたことを特徴とする回転体駆動モータ装置。
【請求項３】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに円形状天板部を嵌着し該天板部の外周縁から折り曲げた環状周板部を前記ス
テータに遊嵌合させた金属製ロータケースと、前記周板部の内周面に止着した環状マグネ
ットとを備え、回転体が前記シャフトの端部に嵌着されており、駆動用コイルを励磁する
ことによりロータを介して回転体を高速回転させるようにした回転体駆動モータ装置にお
いて、前記ロータケースに複数の被係合部が周方向所定間隔をおいて設けられ、該各被係
合部に対向して回転体に係合部が設けられており、その各係合部を各被係合部に係合させ
ることにより、回転体とロータケースとが一体的に連結されていることを特徴とする回転
体駆動モータ装置。
【請求項４】
前記各被係合部がロータケースの天板部の外周縁に形成した横溝部と該横溝部から周板
部にかけて形成した縦溝部とからなる略Ｌ字状スリットからなり、前記各係合部が回転体
であるディスク載置用ターンテーブルの下面に一体突設したリブからなり、該各リブを各
スリットに挿入し、その各リブの下端縁を縦溝部の端縁に当接または接近させるようにし
たことを特徴とする請求項３に記載の回転体駆動モータ装置。
【請求項５】
前記各被係合部がロータケースの天板部の外周縁に形成した係合孔からなると共に、前
記各係合部が回転体であるディスク載置用ターンテーブルの下面に一体突設した鍔部付き
突起部からなり、該各突起部を各係合孔に挿入し各鍔部を天板部に当接または接近させる
ようにしたことを特徴とする請求項３に記載の回転体駆動モータ装置。
【請求項６】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに円形状天板部を嵌着し該天板部の外周縁から折り曲げた環状周板部を前記ス
テータに遊嵌合させた金属製ロータケースと、前記周板部の内周面に嵌着した環状マグネ
ットとを備え、回転体であるディスク載置用合成樹脂製ターンテーブルが前記シャフトの
端部に嵌着され、ロータケースの天板部の外周縁に形成した横溝部と該横溝部から周板部
にかけて形成した縦溝部とからなる複数の略Ｌ字状スリットが周方向所定間隔をおいて設
けられ、各スリットに対向して前記ターンテーブルの下面にリブが一体突設されており、
各リブを各スリットに挿入し、その各リブの下端縁を縦溝部の端縁に当接または接近させ
ており、ディスクをターンテーブルに載置し、駆動用コイルを励磁することによりロータ
及びターンテーブルを介してディスクを高速回転させるようにした回転体駆動モータ装置
において、前記ロータケースを載置するための受け治具が設けられ、前記各スリットに対
向する治具本体が受け治具に一体突設されており、ロータケースを仰向け状態で受け治具
上に載置することにより各スリットを各治具本体に嵌合させ、ロータケース内に嵌入させ
た環状マグネットを治具本体に押し当てることにより、その環状マグネットをロータケー
ス内の所定位置に位置決めするようしたことを特徴とする回転体駆動モータ装置における
環状マグネット組込方法。
【発明の詳細な説明】
【技術分野】
【０００１】
本発明は、例えばＤＶＤなどのディスク駆動装置のディスク載置用ターンテーブルやフ
ァンなど回転体を駆動するための回転体駆動モータ装置とその環状マグネット組込方法に
関する。
【背景技術】
【０００２】
従来、ＤＶＤなどのディスク駆動装置の技術として特許文献１などに記載したものがあ
り、その一例を図８に基づいて説明すると、これは、ステータ１ａ及びロータ１ｂからな
るスピンドルモータ１を有し、前記ステータ１ａの外周部に多数の駆動用コイル２が周方
向所定間隔ごとに取り付けられると共に、該ステータ１ａの中央部に有底円筒状軸受ホル
ダ３が設けられ、前記ロータ１ｂが、軸受ホルダ３に軸受４を介して挿通したシャフト５
と、該シャフト５に円形状天板部６ａを嵌着し該天板部６ａの外周縁から折り曲げた環状
周板部６ｂを前記ステータ１ａに遊嵌合させた金属製ロータケース６と、前記周板部６ｂ
の位置決め段部６ｃに押し当てることにより該周板部６ｂの内周面に嵌着した環状マグネ
ット７とを備え、ディスクＤ載置用ターンテーブル（回転体）８の中心孔８ａをシャフト
５の上端部に嵌着させることにより、シャフト５の軸心Ｏ１に対してターンテーブル８の
軸心Ｏ２を同心状に一致させて、そのターンテーブルがシャフト５に固着されている。
【０００３】
前記軸受ホルダ３内の下部に一つ割り状ストッパリング９が配置されており、シャフト
５を軸受４内に挿通することにより、該シャフト５の下端部に形成した環状溝５ａをスト
ッパリング９に嵌合させて、シャフト５を軸受ホルダ３から抜け出ないようにする。軸受
ホルダ３の底部内に合成樹脂製含油シート１０が配置されており、シャフト５の下端面を
支持する。図８中、１１はシャフト５の中央に嵌着させた押さえリング、１２は軸受ホル
ダ３の下端に固着した鉄板または鋼板からなる支持板１３上に配置したプリント基板であ
る。
【０００４】
前記ターンテーブル８は、合成樹脂材により成形されており、上面中央に突起部１４を
一体突設し上面外周縁にゴムなどの弾性材からなるリングシート１５を設けたものであっ
て、該ターンテーブル８に周方向所定間隔をおいて切欠孔１６を貫設することにより複数
のＬ字状弾性片１７が切り残されている。なお、１８は突起部１４の上面凹部内に配置し
たディスクホルダ吸着用磁石である。
【０００５】
上記構成において、ディスクＤの中心孔Ｄａをターンテーブル８の突起部１４に嵌合さ
せ該中心孔Ｄａに各弾性片１７の先端を係合させることにより、ディスクＤをターンテー
ブル８上に載置すると共に、ディスクホルダ（図示せず）を突起部１４に嵌合させてディ
スクＤを押さえつけ後、駆動用コイル２を励磁することによりロータ１ｂ及びターンテー
ブル８を介してディスクＤを高速回転させ、そのディスクＤに記録されている情報の再生
や記録または消去を行う。
【特許文献１】特開平９−２５２５６８号公報
【発明の開示】
【発明が解決しようとする課題】
【０００６】
上記従来の構成では、ロータケース６をシャフト５に嵌着させているため、該ロータケ
ース６をシャフト５に対して精密に同心状に位置決めして、環状マグネット７とステータ
１ａとの間の隙間αを全周にわたって均等にすることができるという利点がある。しかし
、そのロータケース６とターンテーブル８とが分離されているため、ディスクＤを高速回
転させる際に発生する過大な負荷がターンテーブル８に集中的にかかり、その過大な負荷
に耐えるようターンテーブル８の強度及び該ターンテーブル８とシャフト５との嵌着強度
を大きくする必要があり、コストアップにつながる。
【０００７】
また、例えば成形誤差によりターンテーブル８の中心孔８ａが偏心して該ターンテーブ
ル８の軸心Ｏ２がシャフト５の軸心Ｏ１に対して不一致状態となった場合には、そのター
ンテーブル８の上面１５ａが水平状態から傾いた状態となり、高速回転時にターンテーブ
ル８が上下に振動して所謂面振れ現象が生じ、該ターンテーブル８上のディスクＤに対す
る光ピックアップによる読み取りにミスが生じるおそれがある。
【０００８】
本発明は、上記従来の欠点に鑑み、安価な構造でターンテーブルの面振れ現象を改善す
ることができるようにした回転体駆動モータ装置を提供することを目的としている。
【課題を解決するための手段】
【０００９】
上記目的を達成するため、請求項１に記載の発明は、ステータ及びロータからなるスピ
ンドルモータを有し、前記ステータの外周部に多数の駆動用コイルが周方向所定間隔ごと
に取り付けられると共に、該ステータの中央部に軸受ホルダが設けられ、前記ロータが、
前記軸受ホルダに軸受を介して挿通したシャフトと、該シャフトに円形状天板部を嵌着し
該天板部の外周縁から折り曲げた環状周板部を前記ステータに遊嵌合させた金属製ロータ
ケースと、前記周板部の内周面に嵌着した環状マグネットとを備え、回転体であるディス
ク載置用合成樹脂製ターンテーブルが前記シャフトの端部に嵌着されており、ディスクを
ターンテーブルに載置し、駆動用コイルを励磁することによりロータ及びターンテーブル
を介してディスクを高速回転させるようにした回転体駆動モータ装置において、前記ロー
タケースの天板部の外周縁に形成した横溝部と該横溝部から周板部にかけて形成した縦溝
部とからなる複数の略Ｌ字状スリットが周方向所定間隔をおいて設けられ、各スリットに
対向して前記ターンテーブルの下面にリブが一体突設されており、各リブを各スリットに
挿入し、その各リブの下端縁を縦溝部の端縁に当接または接近させるようにしたことを特
徴としている。
【００１０】
請求項２に記載の発明は、ステータ及びロータからなるスピンドルモータを有し、前記
ステータの外周部に多数の駆動用コイルが周方向所定間隔ごとに取り付けられると共に、
該ステータの中央部に軸受ホルダが設けられ、前記ロータが、前記軸受ホルダに軸受を介
して挿通したシャフトと、該シャフトに円形状天板部を嵌着し該天板部の外周縁から折り
曲げた環状周板部を前記ステータに遊嵌合させた金属製ロータケースと、前記周板部の内
周面に止着した環状マグネットとを備え、回転体であるディスク載置用合成樹脂製ターン
テーブルが前記シャフトの端部に嵌着されており、ディスクをターンテーブルに載置し、
駆動用コイルを励磁することによりロータ及びターンテーブルを介してディスクを高速回
転させるようにした回転体駆動モータ装置において、前記ロータケースの天板部の外周縁
に複数の係合孔が周方向所定間隔をおいて形成され、該各係合孔に対向して前記ターンテ
ーブルの下面に鍔部付き突起部が一体突設されており、該各突起部を各係合孔に挿入し各
鍔部を天板部に当接または接近させるようにしたことを特徴としている。
【００１１】
請求項３に記載の発明は、ステータ及びロータからなるスピンドルモータを有し、前記
ステータの外周部に多数の駆動用コイルが周方向所定間隔ごとに取り付けられると共に、
該ステータの中央部に軸受ホルダが設けられ、前記ロータが、前記軸受ホルダに軸受を介
して挿通したシャフトと、該シャフトに円形状天板部を嵌着し該天板部の外周縁から折り
曲げた環状周板部を前記ステータに遊嵌合させた金属製ロータケースと、前記周板部の内
周面に止着した環状マグネットとを備え、回転体が前記シャフトの端部に嵌着されており
、駆動用コイルを励磁することによりロータを介して回転体を高速回転させるようにした
回転体駆動モータ装置において、前記ロータケースに複数の被係合部が周方向所定間隔を
おいて設けられ、該各被係合部に対向して回転体に係合部が設けられており、その各係合
部を各被係合部に係合させることにより、回転体とロータケースとが一体的に連結されて
いることを特徴としている。
【００１２】
請求項４に記載の発明は、請求項３に記載の発明において、前記各被係合部がロータケ
ースの天板部の外周縁に形成した横溝部と該横溝部から周板部にかけて形成した縦溝部と
からなる略Ｌ字状スリットからなり、前記各係合部が回転体であるディスク載置用ターン
テーブルの下面に一体突設したリブからなり、該各リブを各スリットに挿入し、その各リ
ブの下端縁を縦溝部の端縁に当接または接近させるようにしたことを特徴としている。
【００１３】
請求項５に記載の発明は、請求項３に記載の発明において、前記各被係合部がロータケ
ースの天板部の外周縁に形成した係合孔からなると共に、前記各係合部が回転体であるデ
ィスク載置用ターンテーブルの下面に一体突設した鍔部付き突起部からなり、該各突起部
を各係合孔に挿入し各鍔部を天板部に当接または接近させるようにしたことを特徴として
いる。
【００１４】
請求項６記載の発明は、ステータ及びロータからなるスピンドルモータを有し、前記ス
テータの外周部に多数の駆動用コイルが周方向所定間隔ごとに取り付けられると共に、該
ステータの中央部に軸受ホルダが設けられ、前記ロータが、前記軸受ホルダに軸受を介し
て挿通したシャフトと、該シャフトに円形状天板部を嵌着し該天板部の外周縁から折り曲
げた環状周板部を前記ステータに遊嵌合させた金属製ロータケースと、前記周板部の内周
面に嵌着した環状マグネットとを備え、回転体であるディスク載置用合成樹脂製ターンテ
ーブルが前記シャフトの端部に嵌着され、ロータケースの天板部の外周縁に形成した横溝
部と該横溝部から周板部にかけて形成した縦溝部とからなる複数の略Ｌ字状スリットが周
方向所定間隔をおいて設けられ、各スリットに対向して前記ターンテーブルの下面にリブ
が一体突設されており、各リブを各スリットに挿入し、その各リブの下端縁を縦溝部の端
縁に当接または接近させており、ディスクをターンテーブルに載置し、駆動用コイルを励
磁することによりロータ及びターンテーブルを介してディスクを高速回転させるようにし
た回転体駆動モータ装置において、前記ロータケースを載置するための受け治具が設けら
れ、前記各スリットに対向する治具本体が受け治具に一体突設されており、ロータケース
を仰向け状態で受け治具上に載置することにより各スリットを各治具本体に嵌合させ、ロ
ータケース内に嵌入させた環状マグネットを治具本体に押し当てることにより、その環状
マグネットをロータケース内の所定位置に位置決めするようしたことを特徴としている。
【発明の効果】
【００１５】
請求項１記載の発明は第１の実施の形態（図１〜図４参照）に対応するものであって、
これによれば、ターンテーブルの各リブをロータケースの各スリットに挿入することによ
り、該ターンテーブルが強度大なるロータケースに一体的に連結されているから、そのタ
ーンテーブルを高速回転させる際に発生する過大な負荷がロータケースにより確実に受支
される。従って、ターンテーブルの強度及び該ターンテーブルとシャフトとの嵌着強度を
従来のように特に大きくする必要がなく、コストダウンを図ることができる。
【００１６】
また、例えば成形誤差によりターンテーブルの中心孔が偏心して該ターンテーブルの軸
心がシャフトの軸心に対して不一致状態となって、そのターンテーブルの上面が水平状態
から傾いた状態となり、高速回転時にターンテーブルに面振れ現象が生じる場合でも、各
スリットに挿入した各リブの下端縁を縦溝部の端縁に当接させることにより、その面振れ
現象を確実に改善することができる。更に、ターンテーブルの装着高さを所定通りに設定
することができる。
【００１７】
請求項２に記載の発明は第２の実施の形態（図６及び図７参照）に対応するものであっ
て、これによれば、請求項１に記載の発明とほぼ同様の効果を得ることができ、特に、高
速回転時にターンテーブルに面振れ現象が生じる場合でも、該ターンテーブルの各突起部
をロータケースの各係合孔に挿入し、鍔部をロータケースの天板部に当接させることによ
り、そのターンテーブルの面振れ現象を改善することができる。
【００１８】
請求項３に記載の発明は基本形態に対応するものであって、これによれば、回転体の各
係合部をロータケースの各被係合部に係合させることにより、該回転体が強度大なるロー
タケースに一体的に連結されているから、その回転体を高速回転させる際に発生する過大
な負荷がロータケースにより確実に受支される。従って、回転体の強度及び該回転体とシ
ャフトとの嵌着強度を従来のように特に大きくする必要がなく、コストダウンを図ること
ができる。
【００１９】
請求項４に記載の発明によれば、例えば成形誤差によりターンテーブルの中心孔が偏心
して該ターンテーブルの軸心がシャフトの軸心に対して不一致状態となって、そのターン
テーブルの上面が水平状態から傾いた状態となり、高速回転時にターンテーブルに面振れ
現象が生じる場合でも、各スリットに挿入した各リブの下端縁を縦溝部の端縁に当接させ
ることにより、その面振れ現象を確実に改善することができる。また、ターンテーブルの
装着高さを所定通りに設定することができる。
【００２０】
請求項５に記載の発明によれば、請求項４に記載の発明と同様に、高速回転時にターン
テーブルに面振れ現象が生じる場合でも、該ターンテーブルの各突起部をロータケースの
各係合孔に挿入し、鍔部をロータケースの天板部に当接させることにより、そのターンテ
ーブルの面振れ現象を改善することができる。また、ターンテーブルの装着高さを所定通
りに設定することができる。
【００２１】
請求項６に記載の発明は、環状マグネット組込方法（図５参照）に関するものであって
、これによれば、受け治具上にロータケースを仰向けで載置することにより、該ロータケ
ースの各スリットを受け治具上の各治具本体に嵌合させ、ロータケース内に嵌入させた環
状マグネットを治具本体に押し当てるだけで、その環状マグネットをロータケース内の所
定位置に精密に位置決めすることができる。
【００２２】
この場合、ターンテーブルをロータケースに一体的に連結したり、ターンテーブルの面
振れ現象を改善するために設けたスリットを利用して、環状マグネットをロータケース内
に精密に位置決めしたりすることができ、安価な構造で利便性に優れている。
【発明を実施するための最良の形態】
【００２３】
図１〜図５は本発明の第１の実施の形態である回転体駆動モータ装置を示すものであっ
て、ロータケース６の天板部６ａと周板部６ｂとの間のコーナ部に周方向所定間隔（この
実施の形態では１２０°）ごとに複数にスリット（被係合部）２０が形成され、該各スリ
ット２０に対向してターンテーブル８の下面にリブ（係合部）２１が一体突設されている
。上記以外の構成で図８に示す構成と同一部分に同一符号を付してその説明を省略する。
【００２４】
前記スリット２０は、ロータケース６の天板部６ａの外周縁に半径方向沿って形成した
横溝部２０ａと該横溝部２０ａから周板部６ｂにかけて形成した縦溝部２０ｂとにより略
Ｌ字状に形成されている。なお、ロータケース６の３箇所にスリット２０を３つずつ設け
たが、その３箇所にスリット２０を１つまたは２つずつ設けてもよい。
【００２５】
前記リブ２１は、ターンテーブル８の下面に半径方向に沿って一体突設されており、そ
の厚さｄがスリット２０の幅ｔと同一または若干小さく設定され、リブ２１を各スリット
２０に挿入してロータ１ｂをステータ１ａに組み込んだときに該リブ２１の下端縁２１ａ
を縦溝部２０ｂの端縁Ｐに当接または接近させるようにそのリブ２１の高さｈを設定して
いる。
【００２６】
組立手順を説明すると、シャフト５を軸受４内に挿通すると共に、各リブ２１を各スリ
ット２０に挿入し、シャフト５の下端部に形成した環状溝５ａをストッパリング９に嵌合
させることにより、該シャフト５を軸受ホルダ３から抜け出ないようにすると同時に、各
リブ２１の下端縁２１ａを縦溝部２０ｂの端縁Ｐに当接または接近させる。
【００２７】
上記構成によれば、ターンテーブル８の各リブ２１をロータケース６の各スリット２０
に挿入することにより、該ターンテーブル８が強度大なるロータケース６に一体的に連結
されているから、そのターンテーブル８を高速回転させる際に発生する過大な負荷がロー
タケース６により確実に受支される。従って、ターンテーブル８の強度及び該ターンテー
ブル８とシャフト５との嵌着強度を従来のように特に大きくする必要がなく、コストダウ
ンを図ることができる。
【００２８】
また、例えば成形誤差によりターンテーブル８の中心孔８ａが偏心して該ターンテーブ
ル８の軸心Ｏ２がシャフト５の軸心Ｏ１に対して不一致状態となって、そのターンテーブ
ル８の上面１５ａが水平状態から傾いた状態となり、高速回転時にターンテーブル８に面
振れ現象が生じる場合でも、各スリット２０に挿入した各リブ２１の下端縁２１ａを縦溝
部２０ｂの端縁Ｐに当接させることにより、面振れ現象を確実に改善することができる。
更に、ターンテーブル８の装着高さを所定通りに設定することができる。
【００２９】
図５は環状マグネット７の組込方法を示すものであって、ロータケース６を載置するた
めの受け治具２３が設けられ、ロータケース６の各スリット２０に対向して各リブ２１と
ほぼ同一形状の複数の治具本体２３ａが受け治具２３に一体突設されており、受け治具２
３上にロータケース６を仰向けで載置することにより、各スリット２０を各治具本体２３
ａに嵌合させ、ロータケース６に下すぼまり筒状カーリング治具２４を着脱可能に被せた
後、マグネット７を環状にしてカーリング治具２４の内周面に沿ってロータケース６内に
挿入し治具本体２３ａに押し当てる。
【００３０】
上記構成によれば、受け治具２３上にロータケース６を仰向けで載置することにより、
該ロータケース６の各スリット２０を受け治具２３上の各治具本体２３ａに嵌合させ、ロ
ータケース６内に嵌入させた環状マグネット７を治具本体２３ａに押し当てるだけで、そ
の環状マグネット７をロータケース６内の所定位置に精密に位置決めすることができる。
【００３１】
この場合、ターンテーブル８をロータケース６に一体的に連結したり、ターンテーブル
８の面振れ現象を改善するために設けたスリット２０を利用して、環状マグネット７をロ
ータケース６内に精密に位置決めしたりすることができ、安価な構造で利便性に優れてい
る。
【００３２】
図６及び図７は本発明の第２の実施の形態である回転体駆動モータ装置を示すものであ
って、ロータケース６の天板部６ａの外周縁に複数の円形状係合孔（被係合部）２６が周
方向所定間隔（この実施の形態では１２０°）ごとに形成され、該各係合孔２６に対向し
てターンテーブル８の下面に円柱状突起部（係合部）２７が一体突設されると共に、該各
突起部２７の根元部に鍔部２８が同心状に一体形成されており、各突起部２７を各係合孔
２６に挿入し各鍔部２８の下面２８ａを天板部６ａに当接または接近させるようにした。
上記以外の構成は第１の実施の形態（図１〜図５）とほぼ同じであるから、同一部分に同
一符号を付してその説明を省略する。
【００３３】
上記構成によれば、第１の実施の形態（図１〜図５）とほぼ同様の効果を得ることがで
き、特に、高速回転時にターンテーブル８に面振れ現象が生じる場合でも、該ターンテー
ブル８の各突起部２７をロータケース６の各係合孔２６に挿入し、鍔部２８の下面２８ａ
をロータケース６の天板部６ａに当接させることにより、そのターンテーブル８の面振れ
現象を改善することができる。また、ターンテーブル８の装着高さを所定通りに設定する
ことができる。
【産業上の利用可能性】
【００３４】
第１、第２の実施の形態では、ＤＶＤなどのディスク駆動装置のディスクＤ載置用ター
ンテーブル８をスピンドルモータ１により高速回転させる場合を例にあげて説明したが、
これに限定されるわけではなく、例えばファンをスピンドルモータ１により高速回転させ
る場合にも適用することができる。
【図面の簡単な説明】
【００３５】
【図１】本発明の第１の実施の形態である回転体駆動モータ装置を示す正面図である。
【図２】同縦断面図である。
【図３】図２のＡ−Ａ矢視図である。
【図４】同要部の分解斜視図である。
【図５】同環状マグネット組込方法を示す概略説明図である。
【図６】本発明の第２の実施の形態である回転体駆動モータ装置を示す正面図である。
【図７】同要部の分解斜視図である。
【図８】従来例を示す縦断面図である。
【符号の説明】
【００３６】
１          スピンドルモータ
１ａ        ステータ
１ｂ        ロータ
２          駆動用コイル
３          軸受ホルダ
４          軸受
５          シャフト
６          ロータケース
６ａ        ロータケースの天板部
６ｂ        ロータケースの周板部
７          環状マグネット
８          ターンテーブル（回転体）
２０        スリット（被係合部）
２０ａ      横溝部
２０ｂ      縦溝部
Ｐ          縦溝部の端縁
２１        リブ（係合部）
２１ａ      リブの下端縁
２３        受け治具
２３ａ      治具本体
２６        係合孔（被係合部）
２７        突起部（係合部）
２８        鍔部
Ｄ          ディスク
【図１】
2006136094.tif 000003
【図２】
2006136094.tif 000004
【図３】
2006136094.tif 000005
【図４】
2006136094.tif 000006
【図５】
2006136094.tif 000007
【図６】
2006136094.tif 000008
【図７】
2006136094.tif 000009
【図８】
2006136094.tif 000010